(57)【要約】  【課題】  ロック手段によるロック状態で、操作キーがカム手段のキー係合部に係合した場合に、操作キーが移動することをなくす。  【解決手段】  カム体１０は、その周部に、操作キーＢが係合するキー係合部１３を有していて、キー係合部１３の後面部が、ロック手段によるロック状態及びキー引き抜き時に操作キーＢが接する復帰用受圧部１３ｂであって、この復帰用受圧部１３ｂが側面ほぼく字形状のキー保持部１３ｃを有しているために、操作キーＢがキー係合部１３に係合した場合に、操作キーＢの連結部７２がキー保持部１３ｃに接触して、当該連結部７２の、操作キーＢの引抜き方向に対して垂直な方向の移動を封じ、この接触状態をキー保持部１３ｃが保持する。【選択図】  図１４
2006120480.tif 000002
【特許請求の範囲】
【請求項１】
スイッチケース内に内装され且つオン・オフ動作を行うスイッチング手段と、前記スイッチケースに設けたキー挿入口への操作キーの挿抜により正逆に回転動作することで、前記スイッチング手段の接点切換動作を行なわせるカム手段と、前記操作キーの挿入によるスイッチング手段の接点切換え状態を維持するロック手段とを備えたキースイッチであって、
前記操作キーは、二つに分岐した分岐部を連結する連結部を有しており、
前記カム手段は、その周部に、前記操作キーが係合するキー係合部を有していて、前記キー係合部には、その一方の辺部が、キー挿作時に前記操作キーが接する受動用受圧部であり、且つ他方の辺部が、前記ロック手段によるロック状態及びキー引き抜き時に前記操作キーが接する復帰用受圧部であって、この復帰用受圧部は、前記操作キーの接触状態を保持するキー保持部を有していて、このキー保持部は、前記連結部が接触した状態で当該連結部の、前記操作キーの引抜き方向に対して垂直な方向の移動を封じる凹部であることを特徴とするキースイッチ。
【請求項２】
前記凹部が、前記復帰用受圧部を側面ほぼく字形状に形成することで構成されていることを特徴とする請求項１に記載のキースイッチ。
【請求項３】
前記凹部が、前記復帰用受圧部を側面ほぼ円弧形状に形成することで構成されていることを特徴とする請求項１に記載のキースイッチ。
【発明の詳細な説明】
【技術分野】
【０００１】
本発明は、ドアロックスイッチ等に使用される安全スイッチとしてのキースイッチに関する。
【背景技術】
【０００２】
ドアロックスイッチは、一般に、自動化された工作機械を設置した作業エリアの出入り口に設けたドアの開閉を検知して、工作機械の電源を入り切りするものであり、ドアを閉めるとドア側に備えた操作キーが、出入り口側に備えたキースイッチに挿入され、挿入された操作キーによってカム体が回転操作されて、キースイッチに内蔵したスイッチング機構がスイッチオン状態に切り換えられて電源回路などが接続されると共に、ロック手段により操作キーの挿入によるキースイッチの接点切換え状態を維持するようにし、ドアを開けると操作キーの抜き出しによってロック手段によるロックが解除されて、カム体が回転操作され、スイッチング機構がスイッチオフ状態に切り換えられて電源回路などが断たれるように構成してある。
【０００３】
このようなドアロックスイッチにおけるキースイッチは、通常、スイッチ本体と、スイッチ本体上端に載置されてネジなどで取付けられたキー挿入口付きのヘッドカバーとを備えており、ヘッドカバーには一対のカム支持用の支持台が組み込まれていて、これらの支持台にはカムシャフトが架け渡されていて、このカムシャフトにカム体が回転自在に取付けてあり、このカム体には、ヘッドカバーに設けた二つのキー挿入口に対応して、同一形状の二つの矩形形状の切欠き部よりなるキー係合部が形成してある。そして、キー係合部の一方の辺部がキー挿作時に操作キーが接する受動用受圧部であり、且つ他方の辺部が、キー引き抜き時に操作キーが接する復帰用受圧部になっていて、この復帰用受圧部は直線状の平坦面で構成してある。
【０００４】
そして、ロック手段により操作キーの挿入によるスイッチング機構の接点切換え状態が維持されるが、このようにロック手段によるロック時に、操作キーの作動部はキー係合部に挿入されていて、この作動部は復帰用受圧部の平坦面に接触しており、この復帰用受圧部の傾きに応じて操作キーが移動するようになっている（特許文献１参照）。
【特許文献１】特開平６−７６６７５号公報
【発明の開示】
【発明が解決しようとする課題】
【０００５】
上記したキースイッチにおいては、ロック手段によるロック状態で、操作キーはカム体のキー係合部の復帰用受圧部に接するが、この復帰用受圧部が直線状の平坦面で構成してあるために、この復帰用受圧部の傾きに応じて操作キーが移動して、操作キー自体の変形や破損、及び操作キーの移動で生じていたカム体などの周辺部品の変形等が生じるという問題点があった。
【０００６】
本発明は、上記問題点に着目してなされたもので、その目的とするところは、ロック手段によるロック状態で、操作キーがカム手段のキー係合部に係合した場合に、復帰用受圧部に対して操作キーが移動することがなく、操作キー自体の変形や操作キーの移動で生じていたカム手段などの周辺部品の変形等が抑えられるキースイッチを提供することである。
【課題を解決するための手段】
【０００７】
上述の目的を達成するために、本発明に係るキースイッチは、スイッチケース内に内装され且つオン・オフ動作を行うスイッチング手段と、スイッチケースに設けたキー挿入口への操作キーの挿抜により正逆に回転動作することで、スイッチング手段の接点切換動作を行なわせるカム手段と、操作キーの挿入によるスイッチング手段の接点切換え状態を維持するロック手段とを備えたキースイッチであって、操作キーは、二つに分岐した分岐部を連結する連結部を有しており、カム手段は、その周部に、操作キーが係合するキー係合部を有していて、キー係合部には、その一方の辺部が、キー挿作時に操作キーが接する受動用受圧部であり、且つ他方の辺部が、ロック手段によるロック状態及びキー引き抜き時に操作キーが接する復帰用受圧部であって、この復帰用受圧部は、操作キーの接触状態を保持するキー保持部を有していて、このキー保持部は、連結部が接触した状態で当該連結部の、操作キーの引抜き方向に対して垂直な方向の移動を封じる凹部であることを特徴とする。
【０００８】
かかる構成により、ロック手段によるロック状態で、操作キーがキー係合部に係合した場合に、操作キーが凹部に接触して、この接触状態を凹部が保持するために、操作キーの連結部の、操作キーの引抜き方向に対して垂直な方向の移動が封じられて復帰用受圧部に対して操作キーが移動することがなく、操作キー自体の変形や破損、及び操作キーの移動で生じていたカム手段などの周辺部品の変形や破損が抑えられる。
【０００９】
ここで、スイッチング手段とは、例えば、回路開閉用スイッチが該当し、カム手段とは、例えば、カム体が該当する。
【００１０】
また、本発明に係るキースイッチは、上記した本発明に係るキースイッチにおいて、凹部が、復帰用受圧部を側面ほぼく字形状に形成することで構成されていることを特徴とする。
【００１１】
かかる構成により、ロック手段によるロック状態で、操作キーがキー係合部に係合した場合に、操作キーの連結部が側面ほぼく字形状のキー保持部に接触して、キー保持部がこの接触状態を保持するために、復帰用受圧部に対して操作キーが移動することがなく、操作キー自体の変形や破損、及び操作キーの移動で生じていたカム手段などの周辺部品の変形や破損が抑えられる。
【００１２】
また、本発明に係るキースイッチは、上記した本発明に係るキースイッチにおいて、凹部が、復帰用受圧部を側面ほぼ円弧形状に形成することで構成されていることを特徴とする。
【００１３】
かかる構成により、ロック手段によるロック状態で、操作キーがキー係合部に係合した場合に、操作キーの連結部が側面ほぼ円弧形状のキー保持部に接触して、キー保持部がこの接触状態を保持するために、復帰用受圧部に対して操作キーが移動することがなく、操作キー自体の変形や破損、及び操作キーの移動で生じていたカム手段などの周辺部品の変形や破損が抑えられる。
【発明の効果】
【００１４】
本発明に係るキースイッチによれば、ロック手段によるロック状態で、操作キーがキー係合部に係合した場合に、操作キーが凹部に接触して、この接触状態を凹部が保持するために、操作キーの連結部の、操作キーの引抜き方向に対して垂直な方向の移動が封じられて復帰用受圧部に対して操作キーが移動することがなく、操作キー自体の変形や破損、及び操作キーの移動で生じていたカム手段などの周辺部品の変形や破損が抑えられる。
【発明を実施するための最良の形態】
【００１５】
以下、図面によって本発明の実施の形態について詳細に説明する。
【００１６】
図１は本発明に係るキースイッチの正面から見た斜視図、図２は同キースイッチの背面から見た斜視図、図３は本発明に係るキースイッチにおいて、蓋体及びヘッドカバーを外した状態を正面から見た斜視図、図４は本発明に係るキースイッチにおいて、蓋体及びヘッドカバーを外した状態を背面から見た斜視図、図５は本発明に係るキースイッチにおいて、蓋体及びヘッドカバーを外した状態の正面図、図６は図１のＤ−Ｄ線に沿う一部省略した断面図である。なお、説明上、操作キーＢの挿抜方向を前後方向Ｘとし、この前後方向Ｘを元に上下方向Ｙ、左右方向Ｚを図示のように設定する。
【００１７】
本発明の実施の形態のキースイッチＡはスイッチケース１を備えており、このスイッチケース１は合成樹脂製である。なお、本発明の他の実施の形態として金属製でもよい。
【００１８】
スイッチケース１は、図１及び図２に示すように、その前面が解放されたボックス形状のケース１Ａと、このケース１Ａの前面開口部１Ｃを覆う蓋体１Ｂと、ヘッドカバー３とで構成してある。
【００１９】
そして、図３及び図７で示すように、ケース１Ａの上部の片側（右側）にはヘッドユニット装着部２が形成してある。このヘッドユニット装着部２にはヘッドユニットＦが装着してあり、ヘッドユニット装着部２にヘッドカバー３を取付けることで、ヘッドユニットＦがヘッドカバー３で覆われようになる。
【００２０】
ヘッドユニット装着部２は、前、後面部２ａ、２ｂと左、右面部２ｃ、２ｄと底面部２ｅ（図６参照）を有していて、上面部は解放してある。そして、底面部２ｅにはシール２ｆと孔部２ｇとが設けてある（図６参照）。また、前面部２ａの上縁部の右隅部には係合突起部４ａが設けてあり、また、前面部２ａの上縁部の左右には固定ねじ挿入孔部４ｂが設けてある。
【００２１】
また、前、後面部２ａ、２ｂには、ほぼＵ字形状の切欠き部５ａ、５ｂが形成してあり、後面部２ｂの外面にはカバー嵌合凸部５ｃ、５ｄが形成してある（図３、図４参照）。また、前、後面部２ａ、２ｂの下部には、左右一対のピン支持孔部６が形成してあり、さらに、左、右面部２ａ、２ｂのそれぞれの内面部の中央部には、上下方向に沿う挿入溝部７が形成してある。
【００２２】
ヘッドカバー３は、図１及び図２に示すように、前、後面部３ａ、３ｂと右面部３ｃと頂面部（上面部）３ｄを有していて、左面部及び下面部は解放してある。そして、前、後面部３ａ、３ｂは、それぞれの下部に延長部３ｅ、３ｆを有している。また、前面部３ａ（及び頂面部３ｄ）には操作キーＢを挿入するキー挿入口８（９）が形成してある。また、頂面部３ｄには、左右にねじ孔部３ｇが設けてある。
【００２３】
ヘッドユニットＦは、図８及び図９に示すように、操作キーＢの挿抜に応じて支軸（カムシャフト）回りに回動するカム手段としてのカム体１０と、このカム体１０がカムシャフト４５により回転可能に取付けられるベースヘッド部材１１と、カム体１０を、操作キーＢを引き抜いた回動位置に保持する一対のヘッドロック部材１２と、これらのヘッドロック部材１２をカム体１０にそれぞれ押圧するように付勢する一対のばね部材１２Ａと、ヘッドプランジャ４０とで構成してある。
【００２４】
操作キーＢは、図１４に示されるように二つに分岐した分岐部７０と、これらの分岐部７０を連結する連結部７１を有すると共に、操作キーＢをキー挿入口８に挿入した際に、カム体１０のカム外形の一部が係合する矩形の係合孔７２を有している。また、分岐部７０の先端部には外方に膨出する膨出部７０Ａが形成してある。
【００２５】
カム体１０は、図１１に示すように、その中央部に支承孔１０Ａを有しており、また、その周部に、凹部からなる前後のキー係合部１３、１４と、これらのキー係合部１３、１４に挟まれた凸部１５と、この凸部１５に隣り合う凸部１５Ａと、側面ほぼＵ字形状のカム部１６とを有している。そして、カム体１０の両側面部の外面には支承孔１０Ａの縁周りに孔縁隆起部１０Ｂが形成してある。
【００２６】
そして、図１３に示すように、前方のキー係合部１３には、その後辺部（一方の辺部）が受動用受圧部１３ａであり、且つ前辺部（他方の辺部）が復帰用受圧部１３ｂであって、復帰用受圧部１３ｂには、後述する操作キーＢの連結部７１が接触した状態で、この操作キーの連結部７１の、操作キーＢの引抜き方向に対して垂直な方向の移動を封じる凹部である側面略く字形状のキー保持部１３ｃが形成してある。同様に、後方のキー係合部１４には、その後辺部が受動用受圧部１４ａであり、且つ前辺部が復帰用受圧部１４ｂであって、復帰用受圧部１４ｂには側面略く字形状のキー保持部１４ｃが形成してある。なお、凹部であるキー保持部１３ｃは、本発明に実施の態様では側面略く字形状であるが、側面ほぼ円弧形状であってもよい。また、図９に示すように、凸部１５の頂部１５ａには、左右に位置させてロック溝部１７が形成してある。
【００２７】
また、カム部１６は、図１１及び図１３に示すように、カム体１０の周部の下半分に形成されたカム溝部１８を有しており、このカム溝部１８の底面部が、側面ほぼＵ字形状のカム面１９にしてあり、このカム面１９は平坦な下面部１９ａを有している。そして、カム溝部１８の両側壁部１８ａ、１８ｂには、カム面１９に倣うプランジャガイド孔部１６Ａが形成してある。
【００２８】
また、ベースヘッド部材１１は、図１０に示すように、金属製（亜鉛合金のダイカスト品）であって、ベースヘッド本体１１Ａを有しており、このベースヘッド本体１１Ａの中央にはカム体収容部２０が形成してあり、このカム体収容部２０の両側には橋脚部２０ａ、２０ｂが形成してあり、これらの橋脚部２０ａ、２０ｂの内面部にはカム体挿入溝部２１が形成してあり、両橋脚部２０ａ、２０ｂの外面部に筒状の軸支承部２２が外方に向って突設してある。そして、これらの軸支承部２２の支承孔部２３はカム体挿入溝部２１に開口している。
【００２９】
また、両橋脚部２０ａ、２０ｂの外面部には、ヘッドロック部材受け部２４Ａ、２４Ｂが外方に向って突設してあり、また、ヘッドロック部材受け部２４Ａ、２４Ｂ間がガイド部２４Ｃにしてある。そして、ヘッドロック部材受け部２４Ａ、２４Ｂと軸支承部２２とでヘッドロック部材取付部２５を構成している。
【００３０】
また、図１０に示すように、ベースヘッド本体１１Ａの下部（基部）の前面（操作キーＢの抜き方向）には当接部２６が形成してある。
【００３１】
また、カム体収容部２０の底部２０ｃにはプランジャ挿入孔部２８が形成してあり、また底部２０ｃには、プランジャ挿入孔部２８の後方に位置するようにしてプランジャガイドとなる凸部２９が突設してあり、この凸部２９の前面が円弧形状のプランジャガイド面部３０にしてある。また、ベースヘッド本体１１Ａの左右の当接部２６には、前後方向（キー挿抜方向）Ｘに抜けるピン孔部３１が左右に形成してあり、ベースヘッド本体１１Ａの底面部１１Ｂは平坦にしてある。
【００３２】
また、ヘッドロック部材１２は、図９に示すように、その外面部に摺動孔部３２と、この摺動孔部３２と同心のばね受け部３２ａとを有しており、また、頂部にカムロック部３４を、下面部にガイド突起部３５をそれぞれ有している。
【００３３】
ヘッドプランジャ４０は、図１１及び図１３に示すように、その上端部に摺動ピン４１を備えており、また、ヘッドプランジャ４０の上端部にはカム摺接部４２が形成してあり、ヘッドプランジャ４０の下部は小径軸部４３にしてあり、この小径軸部４３の端部（ヘッドプランジャ４０の下端部）には係合部４４が設けてある。そして、小径軸部４３の段部４３Ａは、後述するロック部材５８が係合する部位である。
【００３４】
次に、ヘッドユニットＦの組立について説明する。
【００３５】
ヘッドプランジャ４０は、図１１に示すように、その上端部に摺動ピン４１をカム体１０のプランジャガイド孔部１６Ａに挿入してカム体１０に連結してあり、ヘッドプランジャ４０の上端部のカム摺接部４２がカム体１０のカム面１９に摺接するようにしてある。
【００３６】
また、ヘッドプランジャ４０は、図１１及び図１３に示すように、カム体収容部２０の底部２０ｃのプランジャ挿入孔部２８に挿入してあり、カム体収容部２０にはカム体１０が収容してある。この場合、ヘッドプランジャ４０の後部に凸部２９のプランジャガイド面部３０が当接しており、また、ヘッドプランジャ４０は、図６に示すように、ヘッドユニット装着部２の底面部２ｅのシール２ｆ及び孔部２ｇを貫通している。
【００３７】
そして、カム体１０の両側面部の外面に形成した孔縁隆起部１０Ｂがカム体挿入溝部２１に挿入してあり、カム体１０の両側面部がカム体収容部２０の両側壁部２０ａ、２０ｂの内面部に近接している。そして、カム体１０の支承孔１０Ａと軸支承部２２の支承孔部２３とにカムシャフト４５が挿入してあって、このカムシャフト４５を中心にカム体１０が回転するようにしてある。
【００３８】
そして、図８及び図９に示すように、ベースヘッド部材１１の両ヘッドロック部材取付部２５にはヘッドロック部材１２が左右方向Ｙに移動可能に取付けてある。すなわち、ヘッドロック部材１２は、その摺動孔部３２を軸支承部２２に挿入した状態でヘッドロック部材受け部２４Ａ、２４Ｂで受けられており、ベースヘッド部材１１のガイド突起部３５がガイド部２４Ｃに摺動可能に挿入してある。
【００３９】
そして、上記のように組み立てられたヘッドユニットＦはヘッドユニット装着部２に装着してある。この場合、左右のヘッドロック部材１２の外端部にばね部材１２Ａを配置し、これらのばね部材１２Ａを圧縮した状態で、これらのばね部材１２Ａの端部がヘッドユニット装着部２の左、右面部２ｃ、２ｄ内面の挿入溝部７に挿入してあり、ヘッドロック部材１２はばね部材１２Ａの反発力によりベースヘッド部材１１の中心側に押されている。
【００４０】
そして、ベースヘッド部材１１の当接部２６がヘッドユニット装着部２の前面部２ａの内面に当接していて、前、後面部２ａ、２ｂの一対のピン孔部６とベースヘッド部材１１のピン孔部３１とに固定部材である固定ピン５５が挿入してあり、ベースヘッド部材１１は、強固にケース１Ａに固定されている。
【００４１】
そして、図１及び図２に示すように、ヘッドユニット装着部２には、その前後を合わせてヘッドカバー３が被せてあり、ねじ孔部３ｇから固定ねじ挿入孔部４ｂに固定ねじ４を螺合することでヘッドカバー３がヘッドユニット装着部２に固定してある。したがって、キー挿入口８はキースイッチＡの前面部に、キー挿入口９は上面部にそれぞれ位置することになる。
【００４２】
また、ケース１Ａ内には、図５及び図６に示すように、工作機械のスイッチング手段としての電源回路開閉用スイッチ５０が設けてある。この電源回路開閉用スイッチ５０は、スイッチ操作体５１と、このスイッチ操作体５１に装備された第１、第２及び第３の可動接点（図示せず）と、第１、第２及び第３の固定接点（図示せず）と、ばね（図示せず）とを有しており、スイッチ操作体５１にはヘッドプランジャ４０の下端部の係合部４４が係合している。
【００４３】
また、本体ケース１Ａには、操作キーＢをキー挿入口８に挿入した際に、操作キーＢの引き抜きを阻止するロック手段が設けてある。このロック手段は、詳細な構造を図示しないが、回路開閉用スイッチ５０のオン作動時に、ロック部材５８がヘッドプランジャ４０の段部４３Ａに係合して、ヘッドプランジャ４０をロックして、カム体１０の回動を阻止するようになっている。
【００４４】
なお、ロック解除は、電磁ソレノイド５９をオン作動させることで、この電磁ソレノイド５９の可動プランジャ５９Ａを下降させて連結部材６０を下げ、レバー６１を移動させることによりロック部材５８を移動させてヘッドプランジャ４０のロックを解除する。
【００４５】
また、本体ケース１Ａには、ロック手段によるヘッドプランジャ４０のロック動作を確認するためのロック確認用スイッチ６５が装備してある。
【００４６】
次に、以上の構成を有するキースイッチＡの動作を、当該キースイッチＡを、工作機械を外囲した保護フェンスのドアにおける安全スイッチとして使用した場合について説明する。なお、ドアには操作キーＢが取付けられ、保護フェンスの支柱にはキースイッチＡが取付けられる。
【００４７】
先ず、ドアを開放している状態においては、キースイッチＡから操作キーＢは引き抜かれており、キースイッチＡにおいては、カム体１０の凸部１５のロック溝部１７に、ばね部材１２Ａの付勢力によりヘッドロック部材１２のカムロック部３４が係脱可能に係合していて、カム体１０が初期回動位置に保持されている。
【００４８】
この状態では、図１１に示すように、ヘッドプランジャ４０のカム摺接部４２がカム面１９の下面部１９ａに接していて、ヘッドプランジャ４０及びスイッチ操作体５１の上方への移動が制限されており、回路開閉用スイッチ５０の各可動接点は各固定接点から離間してスイッチオフの状態であり、さらに、ロック確認用スイッチ６５もスイッチオフの状態である。したがって、ドアの開放状態においては、工作機械等が駆動されることがない。
【００４９】
次にドアを閉じると、操作キーＢがキー挿入口８に挿入されることになり、この操作キーＢの挿入によって、この操作キーＢの分岐部７０の先端がヘッドロック部材１２の内面部に当接して、両ヘッドロック部材１２がばね部材１２Ａのばね力に抗して移動して、ヘッドロック部材１２のカムロック部３４がカム体１０のロック溝部１７より外れてロックが解除されカム体１０が回動可能になる。
【００５０】
操作キーＢの更なる押し込みにより、この操作キーＢの分岐部７０を連結する連結部７１がキー係合部１３の受動用受圧部１３ａを押すことで、カム体１０が、図１３に示されるように回動し、操作キーＢの収容孔７２にカム体１０の外周部の凸部１５Ａが収容されると共に、このカム体１０の回動によって、プランジャ４０が上方へ移動可能となり、回路開閉用スイッチ５０のバネの力で、スイッチ操作体５１が上方へ移動する。
【００５１】
スイッチ操作体５１の上方への移動により、各可動接点が各固定接点に接触すると共に、ロック確認用スイッチ６５もオン作動して工作機械等の電源回路がオンして工作機械が駆動可能状態になる。
【００５２】
さらに、回路開閉用スイッチ５０のオン作動時に、操作キーＢの引き抜きを阻止するロック手段が作動して、ロック部材５８がヘッドプランジャ４０の段部４３ａに係合してヘッドプランジャ４０をロックして、カム体１０の回動を阻止し、スイッチ操作体５１の下方への移動を禁止する。
【００５３】
このようにヘッドプランジャ４０をロックしたロック状態においては、操作キーＢを引き抜こうとしても、スイッチ操作体５１及びヘッドプランジャ４０が移動できないので、カム体１０が回動することができず、カム体１０に係合している操作キーＢを引き抜くことができず、ドアを開放することができない。すなわち、ロックがかかった状態になっている。
【００５４】
一方、作業時に、工作機械のドアを開ける際には、先ず、外部の操作部で機械停止操作がなされ、機械が作動停止したことの信号が工作機械に付設される回転検出器から検出され、電磁ソレノイド５９が通電されると、可動プランジャ５９Ａが下降して連結部材６０を下げ、レバー６１を移動させることによりロック部材５８を移動させて、このロック部材５８の段部４３Ａへの係合を外してヘッドプランジャ４０のロックを解除する。
【００５５】
工作機械のドアを開けるべくドアを引くと、操作キーＢの連結部７１がカム体１０のキー係合部１３のキー保持部１３ｃに引っ掛かり、カム体１０が、図１３において反時計回り方向に回動する。このために、カム部１６のカム面１９がヘッドプランジャ４０の上端のカム摺接部４２に摺動することでヘッドプランジャ４０が押し込まれる。したがって、スイッチ操作体５１が下方へ移動し、回路開閉用スイッチ５０の各可動接点が各固定接点から離間すると共に、ロック確認用スイッチ６５もオフ作動して工作機械等の電源回路がオフして工作機械が停止状態になる。
【００５６】
ドアが開放されて、操作キーＢが引き抜かれると、キースイッチＡにおいては、カム体１０の凸部１５のロック溝部１７に、ばね部材１２Ａの付勢力によりヘッドロック部材１２のカムロック部３４が係脱可能に係合していて、カム体１０が初期回動位置に保持される。
【００５７】
上記したように、カム体１０は、その周部に、操作キーＢが係合するキー係合部１３を有していて、キー係合部１３の後面部が、ロック手段によるロック状態及び操作キーＢの引き抜き時に接する復帰用受圧部１３ｂであって、この復帰用受圧部１３ｂが側面ほぼく字形状のキー保持部１３ｃを有しているために、操作キーＢがキー係合部１３に係合した場合に、操作キーＢの連結部７２がキー保持部１３ｃに接触して、この接触状態をキー保持部１３ｃが保持する。このために、操作キーＢの連結部７２の、操作キーＢの引抜き方向に対して垂直な方向の移動が封じられて復帰用受圧部１３ｂに対して操作キーＢが移動することがなく、操作キーＢ自体の変形や操作キーＢの移動で生じていたカム体１０などの周辺部品の変形等が抑えられる。
【産業上の利用可能性】
【００５８】
本発明に係るキースイッチによれば、ロック手段によるロック状態で、操作キーがキー係合部に係合した場合に、操作キーがキー保持部に接触して、キー保持部がこの接触状態を保持するために、操作キーの連結部の、操作キーの引抜き方向に対して垂直な方向の移動が封じられて復帰用受圧部に対して操作キーが移動することがなく、操作キー自体の変形や操作キーの移動で生じていたカム手段などの周辺部品の変形等が抑えられるという効果を有しており、ドアロックスイッチ等に使用される安全スイッチ等に有用である。
【図面の簡単な説明】
【００５９】
【図１】本発明に係るキースイッチの正面から見た斜視図である。
【図２】同キースイッチの背面から見た斜視図である。
【図３】本発明に係るキースイッチにおいて、蓋体及びヘッドカバーを外した状態を正面から見た斜視図である。
【図４】本発明に係るキースイッチにおいて、蓋体及びヘッドカバーを外した状態を背面から見た斜視図である。
【図５】本発明に係るキースイッチにおいて、蓋体及びヘッドカバーを外した状態の正面図である。
【図６】図１のＤ−Ｄ線に沿う一部省略した断面図である。
【図７】本発明に係るキースイッチのヘッドユニット装着部において、ヘッドカバーを外した状態の斜視図である。
【図８】ヘッドユニットを正面上部から見た斜視図である。
【図９】ヘッドユニットを背面から見た斜視図である。
【図１０】ベース部材の斜視図である。
【図１１】カム体にヘッドプランジャを連結した状態の斜視図である。
【図１２】ベース部材に組付けたカム体を破断した状態の一部省略した斜視図である。
【図１３】カム体のカム面にヘッドプランジャを摺接させた状態の説明図である。
【図１４】操作キーの斜視図である。
【符号の説明】
【００６０】
Ａ      キースイッチ
Ｂ      操作キー
Ｆ      ヘッドユニット
１      スイッチケース
１Ａ    ケース
１Ｂ    蓋体
２      ヘッドユニット装着部
３      ヘッドカバー
６      ピン支持孔部
８      キー挿入口
１０    カム体（カム手段）
１１    ベースヘッド部材
１２    ヘッドロック部材
１３    キー係合部
１３ａ  受動用受圧部
１３ｂ  復帰用受圧部
１３ｃ  キー保持部（凹部）
１４    キー係合部
１４ａ  受動用受圧部
１４ｂ  復帰用受圧部
１４ｃ  キー保持部（凹部）
１７    ロック溝部
４０    ヘッドプランジャ
７０    分岐部
７１    連結部
７２    係合孔
【図１】
2006120480.tif 000003
【図２】
2006120480.tif 000004
【図３】
2006120480.tif 000005
【図４】
2006120480.tif 000006
【図５】
2006120480.tif 000007
【図６】
2006120480.tif 000008
【図７】
2006120480.tif 000009
【図８】
2006120480.tif 000010
【図９】
2006120480.tif 000011
【図１０】
2006120480.tif 000012
【図１１】
2006120480.tif 000013
【図１２】
2006120480.tif 000014
【図１３】
2006120480.tif 000015
【図１４】
2006120480.tif 000016